(57)【要約】【課題】ＯＦＤＭ通信装置およびＡＳＫ通信装置が混在しつつも、両装置間の干渉を低減することができる無線通信システム、当該無線通信システムを構成するＯＦＤＭ通信装置、およびＡＳＫ通信装置を提供すること。【解決手段】ＯＯＫ無線装置１００に、受信信号をＯＯＫ復調するＯＯＫ復調部１０６と、ＯＦＤＭ信号のプリアンブルに含まれる既知信号パターンがＯＯＫ復調された状態のリファレンス信号を発生するリファレンス信号発生部１０８と、ＯＯＫ復調部１０６により復調された復調信号とリファレンス信号との相関結果を取得する相関取得手段（乗算部１０９，積分部１１０）と、相関結果に基づいて、受信信号中のＯＦＤＭ信号の有無を判定する閾値判定部１１１と、判定の結果に基づいて、ＯＯＫ変調信号の送信を制御する通信制御部１１２と、を設けた。ＯＦＤＭ無線装置２００は、プリアンブルに既知信号パターンが含まれたＯＦＤＭ信号を送信する。【選択図】図５
2008103845.tif 000002
【特許請求の範囲】
【請求項１】
受信信号をＡＳＫ復調するＡＳＫ復調手段と、
ＯＦＤＭ信号のプリアンブルに含まれる既知信号パターンがＡＳＫ復調された状態のリファレンス信号を発生するリファレンス信号発生手段と、
前記ＡＳＫ復調手段により復調された復調信号と、前記リファレンス信号との相関結果を取得する相関取得手段と、
前記相関結果に基づいて、前記受信信号中の前記ＯＦＤＭ信号の有無を判定する判定手段と、
前記判定の結果に基づいて、ＡＳＫ変調信号の送信を制御する通信制御手段と、
を具備するＡＳＫ通信装置。
【請求項２】
前記通信制御手段は、前記判定手段にて受信信号中にＯＦＤＭ信号が有ると判定される期間は、前記ＡＳＫ変調信号の送信を停止する請求項１記載のＡＳＫ通信装置。
【請求項３】
前記受信信号の振幅変動レベルを検出する振幅変動レベル検出手段をさらに具備し、
前記ＡＳＫ復調手段は、前記振幅変動レベルの検出結果に基づいて、復調に用いられる閾値を調整し、
前記リファレンス信号発生手段は、前記振幅変動レベルの異なる既知信号パターンに対応する複数のリファレンス信号を発生可能に構成され、前記振幅変動レベルの検出結果に基づいて、発生するリファレンス信号を切り替える請求項１記載のＡＳＫ通信装置。
【請求項４】
前記振幅変動レベル検出手段は、前記受信信号に係る時間方向の波形における極大値および極小値のそれぞれの平均値を検出し、
前記リファレンス信号発生手段は、前記極小値の平均値と前記ＡＳＫ変調手段にて用いられる前記閾値との大小に応じて、発生するリファレンス信号を切り替える請求項３記載のＡＳＫ通信装置。
【請求項５】
前記振幅変動レベル検出手段は、前記受信信号に係る時間方向の波形における極大値および極小値のそれぞれの平均値を検出し、
前記ＡＳＫ復調手段は、前記極小値の平均値が前記閾値より大きい場合に、前記極大値の平均値と前記極小値の平均値との中央値に前記閾値を調整する請求項３記載のＡＳＫ通信装置。
【請求項６】
前記判定手段にて前記ＯＦＤＭ信号が有ると判定された場合に、その判定結果を前記ＯＦＤＭ信号の送信元へ通知するための通知情報を生成する通知情報生成手段を具備する請求項１記載のＡＳＫ通信装置。
【請求項７】
プリアンブルに既知信号パターンが含まれた送信フレームを生成するフレーム生成手段と、前記送信フレームを逆フーリエ変換することによりＯＦＤＭ信号を形成するＯＦＤＭ信号形成手段とを具備するＯＦＤＭ通信装置と、
受信信号をＡＳＫ復調するＡＳＫ復調手段と、ＯＦＤＭ信号のプリアンブルに含まれる既知信号パターンがＡＳＫ復調された状態のリファレンス信号を発生するリファレンス信号発生手段と、前記ＡＳＫ復調手段により復調された復調信号と、前記リファレンス信号との相関結果を取得する相関取得手段と、前記相関結果に基づいて、前記受信信号中の前記ＯＦＤＭ信号の有無を判定する判定手段と、前記判定の結果に基づいて、ＡＳＫ変調信号の送信を制御する通信制御手段と、を具備するＡＳＫ通信装置と、
を具備する無線通信システム。
【請求項８】
前記既知信号パターンは、時間方向で振幅が周期的に変動する請求項７記載の無線通信システム。
【請求項９】
前記ＡＳＫ通信装置は、前記判定手段にて前記ＯＦＤＭ信号が有ると判定された場合に、その判定結果を前記ＯＦＤＭ信号の送信元へ通知するための通知情報を生成する通知情報生成手段と、前記通信情報のＡＳＫ変調信号を送信するＡＳＫ送信手段と、をさらに具備し、
ＯＦＤＭ通信装置は、前記通知情報を検出する通知情報検出手段をさらに具備する請求項７記載の無線通信システム。
【請求項１０】
前記通知情報検出手段は、前記ＯＦＤＭ信号の送信後、所定期間以内にランダムな復調データを取得することにより前記通知情報を検出する請求項９記載の無線通信システム。
【請求項１１】
前記フレーム生成手段は、前記通知情報の検出後に、ペイロードに送信データを含めた送信フレームを生成する請求項９記載の無線通信システム。
【請求項１２】
前記フレーム生成手段は、前記既知信号パターンの振幅変動レベルを切り替え可能に構成され、前記通知情報が検出された場合に前記振幅変動レベルを上げる請求項９記載の無線通信システム。
【請求項１３】
前記フレーム生成手段は、前記通知情報が検出された場合に前記フレームの生成を所定期間停止する請求項９記載の無線通信システム。
【請求項１４】
プリアンブルに既知信号パターンが含まれた送信フレームを生成するフレーム生成手段と、
前記送信フレームを逆フーリエ変換することによりＯＦＤＭ信号を形成するＯＦＤＭ信号形成手段と、
前記既知信号パターンの振幅変動レベルを切り替える振幅変動レベル制御手段と、
を具備するＯＦＤＭ通信装置。
【請求項１５】
前記振幅変動レベル制御手段は、キャリアセンス結果が自装置の利用周波数帯で他の通信装置が通信中であることを示す場合に、前記振幅変動レベルを上げる請求項１４記載のＯＦＤＭ通信装置。
【請求項１６】
前記振幅変動レベル制御手段は、通信開始から所定数の送信フレームにおいては振幅変動レベルを上げ、以降の送信フレームにおいては振幅変動レベルを下げる請求項１４記載のＯＦＤＭ通信装置。
【発明の詳細な説明】
【技術分野】
【０００１】
本発明は、無線通信システム、当該無線通信システムを構成するＯＦＤＭ通信装置、およびＡＳＫ通信装置に関する。
【背景技術】
【０００２】
近年、高速かつ携帯電話等のポータブル機器への搭載が可能な超低消費電力の無線方式としてＵＷＢ（Ｕｌｔｒａ  Ｗｉｄｅ  Ｂａｎｄ）が注目されている。現在使用されている無線システムは、数十ＭＨｚ程度の周波数帯域を用いて通信するのに対し、ＵＷＢは、数百ＭＨｚ〜数ＧＨｚの帯域を用いて通信する無線システムである。２００２年に米ＦＣＣからＰＣ等の不要輻射レベル以下であれば、３．１〜１０．６ＧＨｚの周波数帯域を用いた短パルス通信をＵＷＢ通信として許容する骨子の法制化が発表されことにともない、各社がＩＥＥＥ８０２．１５．３ａを中心とした標準化活動を始め、商用化に向けた検討が活発に行われている。日本国内でも、３．４ＧＨｚ〜４．８ＧＨｚ及び７．２５ＧＨｚ〜１０．２５ＧＨｚの周波数帯域で関係省令等の改正が予定されておりマイクロ波帯でのＵＷＢ通信の実用化は近い。
【０００３】
ＵＷＢ通信の利用が検討されている周波数帯としては、マイクロ波帯の他に、準ミリ波帯（２２．０〜２９．０ＧＨｚ）及びミリ波帯（５９．０ＧＨｚ〜６６．０ＧＨｚ）があり、独立行政法人情報通信研究機構（ＮＩＣＴ）等を中心に利用シーン及び技術的な検討、国際規格（ＩＥＥＥ８０２．１５．３ｃ等）への提案活動等が行われている。ミリ波ＵＷＢは、マイクロ波帯と比べて共存システムが少なく、より広い占有帯域を利用することが可能であるとともに、その電波には直進性、高減衰性といった特長があり、これらを生かした超高速のミリ波ＵＷＢ無線システムの実用化に向けた動きが急速に広がっている。
【０００４】
ミリ波ＵＷＢで用いられる変調方式としては、インパルス無線方式、直接拡散変調のスペクトル拡散方式、ＯＦＤＭ等のマルチキャリア方式が候補にあがっている。どの変調方式を採用するかについては、ＩＥＥＥ８０２．１５．３ｃにおいて審議が進められている。しかしながら、マイクロ波ＵＷＢの標準化を進めていたＩＥＥＥ８０２．１５．３ａが２００６年1月に標準化を断念し、解散したことを考えると、ミリ波ＵＷＢにおいても変調方式が標準化されるとは限らない。このような事態になった場合、複数の変調方式が同一周波数帯に混在して使用されることになり、互いに干渉を与えてしまう可能性がある。
【０００５】
干渉を回避するためには、変調方式が異なる無線通信装置にも自分の存在を知らせる必要がある。しかし、変調方式が異なる無線通信装置間では通信できない。変調方式が異なる無線通信装置間で互いの存在を確認する方法としては、送信フレーム内に共通部を設ける方法がある（特許文献１参照）。この共通部は、全ての無線通信装置間で共通な変調方式で変調されており、全ての無線通信装置で復調可能となっている。このようにしておけば、どちらの無線通信装置でも共通部分は復調できるのでお互いの存在を知らせることができる。  
【特許文献１】特許第３６０４５３６号公報
【発明の開示】
【発明が解決しようとする課題】
【０００６】
しかしながら、前記従来の通信方法では、共通部を復調するためだけに共通部に使用されている変調方式を全ての無線通信装置がサポートしなければならない。例えば、２値のＡＳＫ（Amplitude Shift Keying）変調方式であるＯＯＫ変調方式を用いて無線通信を行うＯＯＫ無線装置とＯＦＤＭ変調方式を用いて無線通信を行うＯＦＤＭ無線装置が混在している場合を考える。共通部をＯＯＫで変調した場合、ＯＦＤＭ無線装置はＯＦＤＭ変復調手段に加えＯＯＫ変復調手段を備えなければならないし、逆に共通部をＯＦＤＭ変調した場合、ＯＯＫ無線装置はＯＯＫ変復調手段に加えＯＦＤＭ変復調手段を備えなければならなくなる。このことは回路規模、消費電力の増大を意味する。特にＯＦＤＭ変調方式は、ＯＯＫ変調方式に比べ処理が複雑なため、ＯＯＫ無線装置にとってＯＦＤＭ変復調手段を備えることは、重大な課題となる。
【０００７】
本発明は、かかる点に鑑みてなされたものであり、ＯＦＤＭ通信装置およびＡＳＫ通信装置が混在しつつも、両装置に共通の変復調手段を新たに設けることなく、両装置間の干渉を低減することができる無線通信システム、当該無線通信システムを構成するＯＦＤＭ通信装置、およびＡＳＫ通信装置を提供することを目的とする。
【課題を解決するための手段】
【０００８】
本発明のＡＳＫ通信装置は、受信信号をＡＳＫ復調するＡＳＫ復調手段と、ＯＦＤＭ信号のプリアンブルに含まれる既知信号パターンがＡＳＫ復調された状態のリファレンス信号を発生するリファレンス信号発生手段と、前記ＡＳＫ復調手段により復調された復調信号と、前記リファレンス信号との相関結果を取得する相関取得手段と、前記相関結果に基づいて、前記受信信号中の前記ＯＦＤＭ信号の有無を判定する判定手段と、前記判定の結果に基づいて、ＡＳＫ変調信号の送信を制御する通信制御手段と、を具備する構成を採る。
【０００９】
本発明の無線通信システムは、プリアンブルに既知信号パターンが含まれた送信フレームを生成するフレーム生成手段と、前記送信フレームを逆フーリエ変換することによりＯＦＤＭ信号を形成するＯＦＤＭ信号形成手段とを具備するＯＦＤＭ通信装置と、受信信号をＡＳＫ復調するＡＳＫ復調手段と、ＯＦＤＭ信号のプリアンブルに含まれる既知信号パターンがＡＳＫ復調された状態のリファレンス信号を発生するリファレンス信号発生手段と、前記ＡＳＫ復調手段により復調された復調信号と、前記リファレンス信号との相関結果を取得する相関取得手段と、前記相関結果に基づいて、前記受信信号中の前記ＯＦＤＭ信号の有無を判定する判定手段と、前記判定の結果に基づいて、ＡＳＫ変調信号の送信を制御する通信制御手段と、を具備するＡＳＫ通信装置と、を具備する構成を採る。
【００１０】
本発明のＯＦＤＭ通信装置は、プリアンブルに既知信号パターンが含まれた送信フレームを生成するフレーム生成手段と、前記送信フレームを逆フーリエ変換することによりＯＦＤＭ信号を形成するＯＦＤＭ信号形成手段と、前記既知信号パターンの振幅変動レベルを切り替える振幅変動レベル制御手段と、を具備する構成を採る。
【発明の効果】
【００１１】
本発明によれば、ＯＦＤＭ通信装置およびＡＳＫ通信装置が混在しつつも、両装置に共通の変復調手段を新たに設けることなく、両装置間の干渉を低減することができる無線通信システム、当該無線通信システムを構成するＯＦＤＭ通信装置、およびＡＳＫ通信装置を提供することができる。
【発明を実施するための最良の形態】
【００１２】
以下、本発明の実施の形態について図面を参照して詳細に説明する。なお、実施の形態において、同一の構成要素には同一の符号を付し、その説明は重複するので省略する。
【００１３】
（実施の形態１）
図１は、本発明の実施の形態１におけるミリ波ＵＷＢの使用環境の一例を示す図である。図１に示すように本実施の形態では、２値のＡＳＫ変調としてＯＯＫ変調方式を用いて通信するＯＯＫ無線装置１００と、ＯＦＤＭ変調方式を用いて通信するＯＦＤＭ無線装置２００が混在している環境を想定する。
【００１４】
図２は、ＯＯＫ無線装置１００が送信するＯＯＫ変調信号、およびＯＦＤＭ無線装置２００が送信するＯＦＤＭ変調信号の周波数スペクトルの一例を示す図である。同図において、スペクトル４００はＯＯＫ変調信号のスペクトルであり、スペクトル４０１，４０２，４０３，４０４はＯＦＤＭ変調信号のスペクトルである。ＯＯＫ無線装置１００およびＯＦＤＭ無線装置２００の各々が、同図のような周波数スペクトルを持つ送信信号（つまり、同一周波数帯の送信信号）の通信を、勝手に始めてしまうと、互いに干渉してしまうことになる。そこで本実施の形態では、ＯＯＫ無線装置１００がＯＦＤＭ変調信号を検出することで干渉を回避することができるようにしている。以下、具体的に説明する。
【００１５】
図３に示すようにＯＦＤＭ無線装置２００は、サブキャリア変調部２０１と、フレーム生成部２０２と、フレーム制御部２０３と、逆フーリエ変換（ＩＦＦＴ）部２０４と、電力増幅器（ＰＡ）２０５と、アンテナ２０６とを有する。なお、同図には、本発明に関する部分を中心に示している。また、同図に示すＯＦＤＭ無線装置２００の各構成部は、ハードウェア、ソフトウェア、またはそれらの組合せによって実現することができる。
【００１６】
サブキャリア変調部２０１は、入力される送信データをサブキャリアに分割して変調し、サブキャリア変調信号をフレーム生成部２０２へ出力する。
【００１７】
フレーム生成部２０２は、フレーム制御部２０３から入力されるフレーム制御信号に応じて、サブキャリア変調信号を所定の手順でフレーム化し、得られたフレーム信号を逆フーリエ変換部２０４へ出力する。
【００１８】
具体的には、フレーム生成部２０２は、図４に示すようなＯＦＤＭ変調方式を用いているＭＢ−ＯＦＤＭ（MultiBand-OFDM）の基本フレーム構成を持つフレーム信号を生成し、生成したフレーム信号を逆フーリエ変換部２０４へ出力する。フレーム生成部２０２は、例えばサブキャリア信号をペイロード部３０３に格納するとともに、ペイローブ部３０３の前にＰＨＹ／ＭＡＣヘッダおよびＨＣＳ（ヘッダ・チェック・シーケンス）を含むＰＨＹ／ＭＡＣヘッダ＋ＨＣＳ部３０２やプリアンブル３０１を付加することにより、フレーム信号を生成する。
【００１９】
ＰＨＹ／ＭＡＣヘッダ＋ＨＣＳ部３０２には、宛先アドレス、送信データレート、フレーム長などの情報が格納される。
【００２０】
プリアンブル部３０１には、パケット同期、フレーム同期、チャネル推定用の信号が格納される。ここで、プリアンブル部３０１には、時間軸で定義された既知の固定信号列、つまり既知信号パターン（例えば、「１」と「０」とが交互に繰り返されるような信号列）が格納される。
【００２１】
フレーム制御部２０３は、フレーム制御信号をフレーム生成部２０２に対して出力することにより、フレーム生成部２０２におけるフレーム信号生成を制御する。
【００２２】
逆フーリエ変換部２０４は、フレーム生成部２０２からのフレーム信号を逆フーリエ変換し、得られたＯＦＤＭ変調信号を電力増幅器２０５へ出力する。
【００２３】
電力増幅器（ＰＡ）２０５は、逆フーリエ変換部２０４からのＯＦＤＭ変調信号を所定の信号レベルに増幅する。増幅されたＯＦＤＭ変調信号は、アンテナ２０６を介して通信相手に送信される。
【００２４】
図５に示すようにＯＯＫ無線装置１００は、ゲイン制御部１０２と、検波部１０３と、サンプリング部１０４と、クロック発生部１０５と、ＡＳＫ復調手段としてのＯＯＫ復調部１０６と、ＯＦＤＭ信号検出部１０７と、通信制御部１１２とを有する。なお、図５は、本発明に関する部分を中心に示している。また、同図に示すＯＯＫ無線装置１００の各構成部は、ハードウェア、ソフトウェア、またはそれらの組合せによって実現することができる。
【００２５】
通信相手から送信された信号は、アンテナ１０１を介して受信信号としてゲイン制御部１０２に入力される。
【００２６】
ゲイン制御部１０２は、受信信号を増幅することにより、検波部１０３の入力信号レベルが一定になるように、受信信号の振幅を調整する。
【００２７】
検波部１０３は、ゲイン制御部１０２を介して入力される受信信号を包絡線検波し、検波結果である検波信号をサンプリング部１０４へ出力する。包絡線検波は、例えば、ダイオードによる半波整流とローパスフィルタによる高周波成分の除去とにより実現することができる。
【００２８】
サンプリング部１０４は、クロック発生部１０５からクロック信号が入力されるタイミングで検波信号をサンプリングし、得られたサンプル値をＯＯＫ復調部１０６へ出力する。サンプリング部は、例えば、Ａ／Ｄ変換器などで構成される。
【００２９】
ＯＯＫ復調部１０６は、サンプリング部１０４からのサンプル値を所定の閾値と比較することで受信信号を復調する。ここでは、２値のＡＳＫ変調であるＯＯＫ変調がなされた信号の復調を行うので、ＯＯＫ復調部１０６は、サンプル値と所定の閾値Ｔｈ１とを比較した結果、サンプル値≧Ｔｈ１の場合には「１」を、サンプル値＜Ｔｈ１の場合には「０」を復調データとしてＯＦＤＭ信号検出部１０７へ出力する。
【００３０】
ＯＦＤＭ信号検出部１０７は、復調データと「リファレンス信号」との相関結果に基づいて、ＯＦＤＭ信号の有無を検出する。ＯＦＤＭ信号検出部１０７は、リファレンス信号発生部１０８と、乗算部１０９と、積分部１１０と、閾値判定部１１１とを備える。
【００３１】
リファレンス信号発生部１０８は、ＯＦＤＭ変調信号の検出に用いる既知の信号列（既知信号パターン）である「リファレンス信号」を発生し乗算部１０９へ出力する。ここで、「リファレンス信号」は、図４に示したＯＦＤＭ変調信号に含まれる、既知の信号列であるプリアンブル部３０１をＯＯＫ復調部１０６にて復調したときに得られる信号である。
【００３２】
乗算部１０９は、復調データと「リファレンス信号」との乗算を行い、得られた乗算値を積分部１１０へ出力する。具体的には、乗算部１０９は、復調データと「リファレンス信号」とのＸＯＲ演算を行う。ここでのＸＯＲ演算は、次のルールで行われる。すなわち、１ＸＯＲ１＝１、１ＸＯＲ０＝０、０ＸＯＲ１＝０、０ＸＯＲ０＝１として演算される。
【００３３】
積分部１１０は、乗算部１０９からの乗算値をｎ個（ｎは、正数で「リファレンス信号」のサンプル数である）積算し、得られた積分結果を相関値として閾値判定部１１１へ出力する。つまり、乗算部１０９と、積分部１１０とは、相関取得手段として機能している。
【００３４】
閾値判定部１１１は、積分部１１０からの相関値と所定の閾値（Ｔｈ２）と比較し、相関値≧Ｔｈ２の場合には「１」を、相関値＜Ｔｈ２の場合には「０」をＯＦＤＭ検出信号として通信制御部１１２へ出力する。
【００３５】
なお、ＯＦＤＭ信号検出部１０７は、「リファレンス信号」のタイミングを１サンプルずつずらしながら乗算部１０９から閾値判定部１１１までの動作を相関値≧Ｔｈ２を満たすまで、又は、ｍ回（ｍ＞ｎ。ｍは、正数でＯＦＤＭ変調信号１フレーム分をサンプリング部１０４でサンプリングしたときのサンプル数である）繰り返し行う。
【００３６】
ここでＯＦＤＭ信号検出部１０７におけるＯＦＤＭ信号の検出方法について説明する。図６は、プリアンブル部３０１とペイロード部３０３とをＯＯＫ復調部１０６で復調したときに得られる復調データの一例を示した図である。
【００３７】
前述のようにプリアンブル部３０１には、時間軸で定義された信号であり、「１」，「０」の繰返しパターンを持つ信号が含められているため、時間軸上で観測した場合には、あたかも振幅変調された信号であるかのように見える（図６Ａ参照）。
【００３８】
これに対して、ペイロード部３０３には、周波数軸上で変調されたランダムなデータが含められるので、ペイロード部３０３を時間軸上で観測すると雑音のように見える（図６Ｂ参照）。
【００３９】
すなわち、ＯＦＤＭ信号を包絡線検波し、さらにＯＯＫ復調（閾値判定）して復調データを得ると、プリアンブル部３０１では、「１」が連続する区間と「０」が連続する区間が規則的に交互に得られる（図６Ａ参照）。これに対して、ペイロード部３０３では、「１」が連続する区間と「０」が連続する区間とがランダムに得られることになる（図６Ｂ参照）。
【００４０】
また、プリアンブル部３０１には、既知の信号列が含められているので、プリアンブル部３０１をＯＯＫ復調部１０６で閾値判定した結果も既知である。
【００４１】
そこで、リファレンス信号発生部１０８が、プリアンブル部３０１をＯＯＫ復調部１０６で復調したときに得られる復調データを、「リファレンス信号」として発生し、復調データと「リファレンス信号」との相関をとることにより、その相関結果からペイロード部３０３を検出することができ、その結果、ＯＦＤＭ信号の有無を検出することができる。
【００４２】
こうしてＯＦＤＭ信号検出部１０７は、ＯＦＤＭ信号の有無を示すＯＦＤＭ検出信号を通信制御部１１２に出力することができる。
【００４３】
通信制御部１１２は、ＯＦＤＭ検出信号に応じてＯＯＫ無線装置１００の通信を制御する。具体的には、通信制御部１１２は、ＯＦＤＭ変調信号が検出されなければＯＯＫでの通信を開始し、逆にＯＦＤＭ変調信号が検出されたときには、ＯＯＫでの通信を見送り、所定の期間待機した後、ＯＯＫでの通信を開始するようにＯＯＫ無線装置１００のＡＳＫ変調送信を制御する。
【００４４】
上記構成を有するＯＯＫ無線装置１００がＯＦＤＭ変調信号を検出する動作について説明する。図７は、ＯＯＫ無線装置１００がＯＦＤＭ変調信号を検出する手順を示したフロー図である。
【００４５】
まずステップ１００１では、ＯＯＫ無線装置１００は、通信を開始する前に、自装置の周囲にＯＦＤＭを用いて通信しているＯＦＤＭ無線装置２００の存在を確認するために電波を受信する。
【００４６】
ステップ１００２では、ＯＯＫ無線装置１００が、ゲイン制御部１０２で受信信号の振幅レベルを調整した後に、検波部１０３で受信信号を包絡線検波する。
【００４７】
ステップ１００３では、ＯＯＫ無線装置１００が、サンプリング部１０４で検波信号をサンプリングする。
【００４８】
ステップ１００４では、ＯＯＫ無線装置１００が、ＯＯＫ復調部１０６でサンプリング値を閾値判定し復調する。
【００４９】
ステップ１００５では、ＯＯＫ無線装置１００が、乗算部１０９および積分部１１０で復調データとリファレンス信号との相関値を算出する。
【００５０】
ステップ１００６では、ＯＯＫ無線装置１００が、閾値判定部１１１で相関値と所定の閾値（Ｔｈ２）との大きさを比較する。
【００５１】
相関値≧Ｔｈ２の場合（ステップ１００６：ＹＥＳ）には、閾値判定部１１１が「１」をＯＦＤＭ検出信号として通信制御部１１２へ出力し、それを受け取った通信制御部１１２がＯＯＫ無線装置１００によるＯＯＫでの通信を開始せず、所定の時間待機するように制御する（ステップ１００７）。すなわち、通信制御部１１２は、受信信号中にＯＦＤＭ信号が有ると判定される期間は、ＯＯＫ変調信号の送信を停止する制御を行う。
【００５２】
一方、相関値＜Ｔｈ２の場合（ステップ１００６：ＮＯ）には、閾値判定部１１１が「０」をＯＦＤＭ検出信号として通信制御部１１２へ出力し、それを受け取った通信制御部１１２が、ＯＦＤＭ変調信号が検出されなかったと判断し、ＯＯＫ無線装置１００によるＯＯＫでの通信を開始するように制御する（ステップ１００８）。
【００５３】
こうしてＯＯＫ無線装置１００は、ＯＦＤＭ変調信号の有無を検出し、ＯＦＤＭ検変調信号が検出されたときには、通信せずに所定の期間待機することで、ＯＦＤＭ無線装置２００との干渉を回避することができる。
【００５４】
このように本実施の形態によれば、ＯＯＫ無線装置１００に、受信信号をＯＯＫ復調するＯＯＫ復調部１０６と、ＯＦＤＭ信号のプリアンブルに含まれる既知信号パターンがＯＯＫ復調された状態のリファレンス信号を発生するリファレンス信号発生手段としてのリファレンス信号発生部１０８と、ＯＯＫ復調部１０６により復調された復調信号と、前記リファレンス信号との相関結果を取得する相関取得手段（乗算部１０９，積分部１１０）と、前記相関結果に基づいて、前記受信信号中の前記ＯＦＤＭ信号の有無を判定する判定手段（閾値判定部１１１）と、前記判定の結果に基づいて、ＯＯＫ変調信号の送信を制御する通信制御手段（通信制御部１１２）と、を設けた。
【００５５】
こうすることにより、ＯＯＫ無線装置１００にＯＦＤＭ復調手段を搭載せずに、すなわち、ＯＯＫ変調無線装置１００の回路規模の増大および消費電力の増大を回避しつつ、ＯＦＤＭ信号を受信しているかを判定することができ、ＯＦＤＭ信号を受信していると判定しているときには、ＯＯＫ変調信号の送信を見合わせる制御を行うことができるので、通信中のＯＦＤＭ無線装置に対する干渉を低減することができる。なお、本実施の形態の考え方は、２値のＯＯＫ復調に限らず、ＡＳＫ復調の場合にも適用可能である。
【００５６】
通信制御手段（通信制御部１１２）は、判定手段（閾値判定部１１１）にて受信信号中にＯＦＤＭ信号が有ると判定される期間は、ＡＳＫ変調信号（ここでは、ＯＯＫ変調信号）の送信を停止する。
【００５７】
こうすることにより、少なくともＯＦＤＭ信号を受信していると判定しているときには、ＯＯＫ変調信号の送信を見合わせる制御を行うことができるので、通信中のＯＦＤＭ無線装置に対する干渉を低減することができる。
【００５８】
また、ＯＦＤＭ無線装置２００に、プリアンブルに既知信号パターンが含まれた送信フレームを生成するフレーム生成手段（フレーム生成部２０２）と、前記送信フレームを逆フーリエ変換することによりＯＦＤＭ信号を形成するＯＦＤＭ信号形成手段（逆フーリエ変換部２０４）とを設けた。そして、既知信号パターンを時間方向で振幅が周期的に変動するようにした。
【００５９】
こうすることにより、ペイロード部のようなデータ部分との判別が容易になるため、受信側のＯＯＫ無線装置１００における処理を簡単化することができる。
【００６０】
（実施の形態２）
実施の形態２では、ＯＦＤＭ無線装置のフレーム生成部がフレーム制御信号に応じてプリアンブル部に含める既知信号列（既知信号パターン）を切り替えるようになっている。具体的には、受信側のＯＯＫ無線装置にとって復調しやすい信号列（すなわち、振幅変動が大きい信号列）と、ＯＯＫ無線装置にとって復調しやすいか否かを考慮しない信号列（すなわち、振幅変動が小さい信号列）とを切り替えるようになっている。また、受信側のＯＯＫ無線装置では、振幅変動が小さい信号列がプリアンブル部に含められたＯＦＤＭ信号であっても、ＯＦＤＭ信号の有無を検出することができるように、所定の閾値（Ｔｈ１）を適切に調整できるようになっている。さらに、「リファレンス信号」も振幅変動が小さい信号列に合わせたものに切り替えられる。以下、具体的に説明する。なお、ＯＦＤＭ無線装置の主要構成は実施の形態１のＯＦＤＭ無線装置２００と同様であるため、図３を用いて説明する。
【００６１】
ＯＦＤＭ無線装置２００のフレーム制御部２０３は、フレーム生成部２０２にフレーム制御信号を出力し、プリアンブル部３０１に含められる既知信号列の切り替えを制御する。
【００６２】
既知信号の切り替え制御方法としては、以下のような制御方法が考えられる。
（１）ＯＯＫ無線装置の存在に関わらず、ＯＦＤＭ無線装置２００は、常に振幅変動が大きい信号列を用いるようにする。
（２）ＯＯＫ無線装置の存在に関わらず、ＯＦＤＭ無線装置２００は、常に振幅変動が小さい信号列を用いるようにする。
（３）ＯＦＤＭ無線装置２００は、全てのチャネル（図２では、ｆ１，ｆ２，ｆ３，ｆ４の全て）に対してキャリアセンスを行う。キャリアセンスの結果、全てのチャネルが使用中であった場合には、ＯＯＫ無線装置が通信していると見なし、振幅変動が大きい信号列を用いるようにする。
（４）ＯＦＤＭ無線装置は、通信開始後、最初のＸ回には振幅変動の大きい信号列を用い、それ以降には振幅変動の小さい信号列を用いるようにする。
【００６３】
図８は、実施の形態２のＯＯＫ無線装置５００の構成を示すブロック図である。上述のとおり、ＯＦＤＭ無線装置２００での既知信号の切り替え制御の結果、プリアンブル部３０１に格納されている信号列が振幅変動レベルの小さい信号列であった場合には、図９に示すように閾値（Ｔｈ１）が小さすぎてＯＯＫ復調部１０６での閾値判定が適切に行われなくなる。そのため閾値（Ｔｈ１）を適切な値に調整する必要がある。また、リファレンス信号発生部１０８は、ペイロード部３０１に、振幅変動の大きい信号列と振幅変動の小さい信号列とのどちらの信号列が格納されているか事前には知らないので、どちらの信号列が格納されているかを判断しなければならない。
【００６４】
そこで図８に示すようにＯＯＫ無線装置５００は、振幅変動レベル検出部５０２と、閾値制御部５０４と、ＯＯＫ復調部５０６と、ＯＦＤＭ信号検出部５０７とを有する。ＯＦＤＭ信号検出部５０７は、リファレンス信号発生部５０８を有する。
【００６５】
振幅変動レベル検出部５０２は、サンプリング部１０４から出力されるサンプル値の中から振幅が周期的に変動する区間（プリアンブル部３０１と思われる区間）を検出する。振幅変動レベル検出部５０２は、検出した区間のサンプル値における極大値、極小値を検出し、極大値、極小値それぞれの平均値を閾値制御部５０４へ出力する。
【００６６】
閾値制御部５０４は、振幅変動レベル検出部５０２からの極大値、極小値の平均値をもとに、プリアンブル部３０１に用いられている信号列の振幅変動の大きさを判断する。
【００６７】
具体的には、閾値制御部５０４は、極小値の平均値が閾値Ｔｈ１よりも小さいときには、振幅変動が大きい信号列であると判断する。一方、極小値の平均値が閾値Ｔｈ１よりも大きいときには、閾値制御部５０４は、振幅変動が小さい信号列と判断する。そして、閾値制御部５０４は、判断結果を振幅変動レベル情報としてＯＦＤＭ信号検出部５０７のリファレンス信号発生部５０８へ出力する。
【００６８】
また、閾値制御部５０４は、振幅変動が小さい信号列と判断した場合には、ＯＯＫ復調部５０６に設定されている閾値Ｔｈ１を、極大値の平均値と極小値の平均値との中間値に調整する制御を行う。こうしてプリアンブル部３０１の既知信号列の振幅変動が小さい場合にも復調データを得ることができる。
【００６９】
ＯＦＤＭ信号検出部５０７のリファレンス信号発生部５０８は、閾値制御部５０４からの振幅変動レベル信号に応じて、振幅変動が大きい場合と小さい場合とのリファレンス信号を切り替える。
【００７０】
このように本実施の形態によれば、ＯＯＫ無線装置５００に、受信信号をＯＯＫ復調するＯＯＫ復調部５０６と、ＯＦＤＭ信号のプリアンブルに含まれる既知信号パターンがＯＯＫ復調された状態のリファレンス信号を発生するリファレンス信号発生手段としてのリファレンス信号発生部５０８と、ＯＯＫ復調部５０６により復調された復調信号と、前記リファレンス信号との相関結果を取得する相関取得手段（乗算部１０９，積分部１１０）と、前記相関結果に基づいて、前記受信信号中の前記ＯＦＤＭ信号の有無を判定する判定手段（閾値判定部１１１）と、前記判定の結果に基づいて、ＯＯＫ変調信号の送信を制御する通信制御手段（通信制御部１１２）と、受信信号の振幅変動レベルを検出する振幅変動レベル検出手段（振幅変動レベル検出部５０２）とを設け、ＯＯＫ復調部５０６が、前記振幅変動レベルの検出結果に基づいて、復調に用いられる閾値を調整し、前記リファレンス信号発生手段としてのリファレンス信号発生部５０８が、前記振幅変動レベルの異なる既知信号パターンに対応する複数のリファレンス信号を発生可能に構成され、前記振幅変動レベルの検出結果に基づいて、発生するリファレンス信号を切り替えるようにした。
【００７１】
こうすることにより、受信信号の振幅変動レベルを検出し、この検出結果に応じて、ＯＯＫ復調に用いられる閾値を適切に調整することができる。そのため、ＯＦＤＭ無線装置が振幅変動レベルを下げて送信したＯＦＤＭ信号をＯＯＫ無線装置５００が受信する場合にも、既知信号パターンを適切に反映した復調信号を得ることができる。また、受信信号の振幅変動レベルの検出結果に応じて、発生するリファレンス信号を切り替えることができるので、受信信号に含まれている既知信号パターンの振幅変動レベルに適したリファレンス信号の相関値を取得することが可能となる。つまり、既知信号パターンを適切に反映した復調信号と、受信信号に含まれている既知信号パターンの振幅変動レベルに適したリファレンス信号との相関結果の信頼性も高くなる。この信頼性の高い相関結果に基づいて通信制御を行うことができるので、干渉を回避する確実性を向上することができる。
【００７２】
具体的には、振幅変動レベル検出手段（振幅変動レベル検出部５０２）は、受信信号に係る時間方向の波形における極大値および極小値のそれぞれの平均値を検出し、リファレンス信号発生手段としてのリファレンス信号発生部５０８は、前記極小値の平均値とＯＯＫ復調部５０６にて用いられる閾値との大小に応じて、発生するリファレンス信号を切り替える。
【００７３】
こうすることにより、極小値の平均値が閾値より大きい場合には受信信号の振幅変動レベルが小さいと考えられるため、極小値の平均値が閾値より大きい場合には振幅変動レベルの小さい既知信号パターンに対応するリファレンス信号に切り替えることにより、信頼性の高い相関結果を取得することができる。
【００７４】
また、ＯＯＫ復調部５０６は、前記極小値の平均値が前記閾値より大きい場合に、前記極大値の平均値と前記極小値の平均値との中央値に前記閾値を調整する。
【００７５】
こうすることにより、極小値の平均値と極大値の平均値との間に常に閾値を設定することが可能となるため、受信信号中のＯＦＤＭ信号に含まれる既知信号パターンの電力変動レベルの大小に拘わらず、既知信号パターンを適切に反映した復調信号を得ることができる。
【００７６】
また、ＯＦＤＭ無線装置２００に、プリアンブルに既知信号パターンが含まれた送信フレームを生成するフレーム生成手段（フレーム生成部２０２）と、前記送信フレームを逆フーリエ変換することによりＯＦＤＭ信号を形成するＯＦＤＭ信号形成手段（逆フーリエ変換部２０４）と、前記既知信号パターンの振幅変動レベルを切り替える振幅変動レベル制御手段（フレーム制御部２０３）と、を設けた。
【００７７】
こうすることにより、例えば、受信側のＯＯＫ無線装置に自装置の存在を確実に認知させたいような場合には、振幅変動レベルを大きくすることにより送信ＯＦＤＭ信号の電力を大きくする制御が可能となる。
【００７８】
また、振幅変動レベル制御手段（フレーム制御部２０３）が、キャリアセンス結果が自装置の利用周波数帯で他の通信装置が通信中であることを示す場合に、前記振幅変動レベルを上げる制御を行ってもよい。
【００７９】
また、振幅変動レベル制御手段（フレーム制御部２０３）が、通信開始から所定数の送信フレームにおいては振幅変動レベルを上げ、以降の送信フレームにおいては振幅変動レベルを下げる制御を行ってもよい。
【００８０】
（実施の形態３）
実施の形態３では、図１０に示すように、ＯＦＤＭ変調方式とＯＯＫ変調方式との両方に対応可能なＯＯＫ／ＯＦＤＭ無線装置６００が存在し、ＯＯＫ無線装置７００およびＯＦＤＭ無線装置８００がＯＯＫ／ＯＦＤＭ無線装置６００と通信をする場合を考える。この場合、ＯＯＫ／ＯＦＤＭ無線装置６００は、ＯＯＫおよびＯＦＤＭの両方の変調方式をサポートしているので、ＯＯＫ通信とＯＦＤＭ通信の同期をとることができる。このため、ＯＯＫ無線装置７００は、ＯＦＤＭ変調信号のプリアンブル部３０１が送信されているタイミングがわかるので、実施の形態１のように、スライディング相関を最大ｍ（ＯＦＤＭ変調信号１フレーム分をサンプリング部１０４でサンプリングしたときのサンプル数）回繰り返す必要はなく、最大ｎ（リファレンス信号のサンプル数）回で済み、消費電力の低減が可能となる。
【００８１】
ただし、図１１に示すようにＯＯＫ無線装置７００は、確認信号生成部７２０と、ＡＳＫ変調手段としてのＯＯＫ変調部７２２と、送受信共用器７２４とを有し、ＯＦＤＭ変調信号を検出した場合に、ＯＦＤＭ無線装置８００に対して、ＯＦＤＭ変調信号を検出したことを示す「確認信号」を送信するようになっている。
【００８２】
確認信号生成部７２０は、ＯＦＤＭ信号検出部１０７からのＯＦＤＭ検出信号に応じて、ＯＦＤＭ変調信号を検出したことをＯＦＤＭ無線装置８００へ知らせるための「確認信号」を生成し、ＯＯＫ変調部７２２へ出力する。「確認信号」は、全て「０」の信号でなければ、どのような内容でもよい。なぜならば、ＯＯＫ無線装置７００はＯＯＫ変調信号しか送信しないので、ＯＦＤＭ無線装置８００が「確認信号」を受信し復調しても意味のないランダムデータとなるからである。全て「０」の場合は信号が存在しないのと同じなので用いることはできない。
【００８３】
ＯＯＫ変調部７２２は、「確認信号」をＯＯＫ変調する。ＯＯＫ変調された「確認信号」は、送受信共用器７２４を介してアンテナ１０１からＯＦＤＭ無線装置８００へ送信される。
【００８４】
図１２に示すようにＯＦＤＭ無線装置８００は、送受信共用器８１０と、ＯＦＤＭ復調部８１２と、確認信号検出部８１４と、フレーム制御部８１６とを有する。
【００８５】
ＯＦＤＭ復調部８１２は、アンテナ２０６から送受信共用器８１０を介して入力される受信信号をＯＦＤＭ復調し、得られた復調データを確認信号検出部８１４へ出力する。
【００８６】
確認信号検出部８１４は、復調データの中からＯＯＫ無線装置７００から送信された「確認信号」を探し出す（検出する）。
【００８７】
先に述べたとおり「確認信号」は、ＯＯＫ変調された信号なのでＯＦＤＭ復調してもデータの中身を理解することはできない。そこで、確認信号検出部８１４は、ＯＦＤＭ無線装置７００がプリアンブル部３０１を送信してから所定の時間内にランダムな復調データが得られたときに、そのランダムデータをＯＯＫ無線装置７００から送信された「確認信号」と判断する。ＯＦＤＭ無線装置８００のフレーム制御部８１６は、確認信号検出部８１４にて「確認信号」を検出したと判断された場合に、通信（フレーム送信）を開始する制御を行う。なお、この動作を１回以上繰り返した後に、ＯＦＤＭ無線装置８００のフレーム制御部８１６は、通信（フレーム送信）を開始するようにしてもよい。
【００８８】
これにより、ＯＦＤＭ無線装置８００は、自装置の周囲にＯＯＫ無線装置７００が存在し、かつ、そのＯＯＫ無線装置７００が自装置（ＯＦＤＭ無線装置８００）の存在を確認してくれたことが分かるようになるので、ＯＯＫ無線装置７００との干渉回避をより確実にすることができる。
【００８９】
所定の時間内に「確認信号」が得られなかったときは、周囲にＯＯＫ無線装置７００が存在しないと判断し、ＯＦＤＭ無線装置８００のフレーム制御部８１６は、通信を開始する制御を行う。なお、逆に、所定の時間内に「確認信号」が得られなかったときは、ＯＯＫ無線装置７００が通信したがっているかもしれないと判断し、ＯＦＤＭ無線装置８００のフレーム制御部８１６は、通信（フレーム送信）を見送り、通信（フレーム送信）を所定の期間待機するように制御してもよい。
【００９０】
このように本実施の形態によれば、ＯＯＫ無線装置７００に、受信信号中にＯＦＤＭ信号が有ると判定された場合に、その判定結果を前記ＯＦＤＭ信号の送信元へ通知するための通知情報を生成する通知情報生成手段（確認信号生成部７２０）を設けた。
【００９１】
こうすることにより、ＯＦＤＭ信号の送信元では通知信号を受け取ることにより、ＯＯＫ変調信号の送信を開始していないＯＯＫ無線装置が存在することを認識することができるとともに、自装置（ＯＦＤＭ信号の送信元）の存在をそのＯＯＫ無線装置が認識していることも確認することができるので、この確認後にＯＦＤＭ信号におけるペイロード部を用いて送信データの送信を開始すれば、ＯＦＤＭ無線装置からＯＯＫ無線装置に対する干渉も回避することができる。
【００９２】
また、ＯＦＤＭ無線装置８００に、前記ＯＦＤＭ信号の送信後、所定期間以内にランダムな復調データを取得することにより前記通知情報を検出する通知情報検出手段（確認信号検出部８１４）を設けた。
【００９３】
こうすることにより、ＯＯＫ無線装置にてＯＯＫ変調された通知情報を受信する場合には、その通知情報の復調データはＯＦＤＭ無線装置にとって意味をなさないものであるが、ＯＦＤＭ信号の送信後、所定期間以内にランダムな復調データを取得することをもって通知情報を検出したとすることにより、変調方式の異なるＯＯＫ無線装置からの通信情報を検出することができる。
【００９４】
また、ＯＦＤＭ無線装置８００のフレーム生成手段（フレーム生成部２０２）は、通知情報の検出後に、ペイロードに送信データを含めた送信フレームを生成する。
【００９５】
こうすることにより、ＯＯＫ無線装置との干渉が発生する確率を低減することができる。
【００９６】
フレーム生成手段（フレーム生成部２０２）は、前記既知信号パターンの振幅変動レベルを切り替え可能に構成され、前記通知情報が検出された場合に前記振幅変動レベルを上げるようにしてもよい。
【００９７】
フレーム生成手段（フレーム生成部２０２）は、前記通知情報が検出された場合に前記フレームの生成を所定期間停止するようにしてもよい。
【００９８】
（他の実施の形態）
実施の形態１乃至実施の形態３おいては、ＯＯＫ無線装置１００（５００，７００）はゲイン制御部１０２を備えており、検波部１０３への入力信号レベルが一定になるようにしていた。これはＯＯＫ復調部１０６（５０６）での閾値判定が適切に行われるようにするためであるが、ＯＦＤＭ変調信号の検出においてゲイン制御は必ずしも必要ではない。
【００９９】
ゲイン制御部１０２を設けない構成のＯＯＫ無線装置１００（５００）では、検波信号レベルが一定にならないので、ＯＦＤＭ変調信号の受信レベルが偶然所望の信号レベルになっている場合を除き、ＯＯＫ復調部１０６（５０６）での閾値判定は適切に行われない。
【０１００】
例えば、ＯＦＤＭ変調信号の受信レベルが常に閾値Ｔｈ１よりも小さい場合、復調データは全て「０」となる。このような場合には、ＯＦＤＭ信号検出部１０７（５０７）でリファレンス信号との相関値を算出するまでもない。つまり、復調データ中に「０」が所定の数以上連続して現れた場合には、ＯＦＤＭ変調信号が検出されなかったとみなし、ＯＯＫでの通信を開始してよい。なぜならば、受信信号レベルが小さいということは、ＯＦＤＭ変調信号が存在していたとしても、それは離れたところで通信をしているとみなすことができ、ＯＯＫ変調信号がＯＦＤＭ変調信号に干渉を与えることはないからである。
【０１０１】
従って、このような場合には、ＯＯＫ無線装置１００（５００，７００）の通信制御部１１２は、ＯＯＫでの通信を開始する制御をしてもよいことになる。逆に、ＯＦＤＭ変調信号の受信レベルがＴｈ１よりも常に大きい場合、復調データは全て「１」になる。この場合は、ＯＯＫ無線装置１００（５００，７００）の間近でＯＦＤＭ通信が行われているとみなすことができるので、通信制御部１１２は、しばらく待機するように制御する。
【０１０２】
以上のようにすることで、ＯＯＫ無線装置にＯＦＤＭ信号検出部も設ける必要がなくなる。
【産業上の利用可能性】
【０１０３】
本発明の無線通信システム、ＯＦＤＭ通信装置、およびＡＳＫ通信装置は、ＯＦＤＭ通信装置およびＡＳＫ通信装置が混在しつつも、両装置に共通の変復調手段を新たに設けることなく、両装置間の干渉を低減することができる無線通信システム、これを構成するＯＦＤＭ通信装置およびＡＳＫ通信装置として有用である。
【図面の簡単な説明】
【０１０４】
【図１】本発明の実施の形態１におけるミリ波ＵＷＢの使用環境の一例を示す図
【図２】ＯＯＫ無線装置が送信するＯＯＫ変調信号、およびＯＦＤＭ無線装置が送信するＯＦＤＭ変調信号の周波数スペクトルの一例を示す図
【図３】実施の形態１のＯＦＤＭ無線装置の構成を示すブロック図
【図４】ＭＢ−ＯＦＤＭ（MultiBand-OFDM）の基本フレーム構成を示す図
【図５】実施の形態１のＯＯＫ無線装置の構成を示すブロック図
【図６】プリアンブル部とペイロード部とをＯＯＫ復調部で復調したときに得られる復調データの一例を示した図
【図７】ＯＯＫ無線装置がＯＦＤＭ変調信号を検出する手順を示したフロー図
【図８】実施の形態２のＯＯＫ無線装置の構成を示すブロック図
【図９】振幅変動レベルが小さい受信信号とＯＯＫ復調部にて用いられる閾値との関係を説明するための図
【図１０】実施の形態３の無線通信システムの構成を示す図
【図１１】実施の形態３のＯＯＫ無線装置の構成を示すブロック図
【図１２】実施の形態３のＯＦＤＭ無線装置の構成を示すブロック図
【符号の説明】
【０１０５】
１００，５００，７００  ＯＯＫ無線装置
１０１，２０６  アンテナ
１０２  ゲイン制御部
１０３  検波部
１０４  サンプリング部
１０５  クロック発生部
１０６，５０６  ＯＯＫ復調部
１０７，５０７  ＯＦＤＭ信号検出部
１０８，５０８  リファレンス信号発生部
１０９  乗算部
１１０  積分部
１１１  閾値判定部
１１２  通信制御部
２００，８００  ＯＦＤＭ無線装置
２０１  サブキャリア変調部
２０２  フレーム生成部
２０３，８１６  フレーム制御部
２０４  逆フーリエ変換部
２０５  電力増幅器
５０２  振幅変動レベル検出部
５０４  閾値制御部
７２０  確認信号生成部
７２２  ＯＯＫ変調部
７２４，８１０  送受信共用器
８１２  ＯＦＤＭ復調部
８１４  確認信号検出部
【図１】
2008103845.tif 000003
【図２】
2008103845.tif 000004
【図３】
2008103845.tif 000005
【図４】
2008103845.tif 000006
【図５】
2008103845.tif 000007
【図６】
2008103845.tif 000008
【図７】
2008103845.tif 000009
【図８】
2008103845.tif 000010
【図９】
2008103845.tif 000011
【図１０】
2008103845.tif 000012
【図１１】
2008103845.tif 000013
【図１２】
2008103845.tif 000014